(57)【特許請求の範囲】
【請求項１】
ベース（１）の開放部（２）にカバー（３）を有頭ネジ（５）の締め付けにより着脱自在に取り付けるようにするほか、ネジ（５）を適度に緩めた状態のもとにカバー（３）を取り外すことができるようにした型式の機器筐体において、
ベース（１）の開放部（２）よりも内方に設けられた雌ネジ部（４）と、
カバー（３）の前記雌ネジ部（４）に対応する位置にカバー主体部の外面から略垂直に陥没した状態で設けられた座面部（６）とを有し、
前記座面部（６）は、
ネジ（５）の頭部に対接する受面（６ｂ）と、
カバー主体部の外面から該受面（６ｂ）の周囲まで略垂直に延びる側壁と、
該受面（６ｂ）の略中央からカバー装着方向に延び、ネジ（５）の軸径よりも少し大きい幅を持つ切欠（６ａ）とを備えており、
さらに、前記切欠（６ａ）に連続して座面部（６）の前記側壁に形成され、ネジ（５）の頭部付近を側方から通過させることができる開通部（７）を有し、
カバー装着時に、ネジ（５）の頭部の側方の一部が前記受面（６ｂ）から食み出して前記開通部（７）に入り込むことにより、該開通部（７）を塞ぐようになっていることを特徴とする機器筐体におけるカバー取付装置。
【請求項２】
前記カバー（３）の裏面に前記開通部（７）に連通して設けられた凹部（８）を有する請求項１に記載のカバー取付装置。
【発明の詳細な説明】
【０００１】
【発明の属する技術分野】
本発明は、機器筐体におけるベースの開放部にカバーを有頭ネジの締め付けにより着脱自在に取り付けるようにするほか、ネジを適度に緩めた状態のもとにカバーを取り外すことができるようにした型式の機器筐体におけるカバー取付装置に関するものであり、電気機器の筐体，家具の筐体，機械の筐体，輸送用筐体，その他の種々の筐体が適用対象となる。
【０００２】
【従来の技術】
従来のこの種のカバー取付装置としては、例えば図６および図７のように、箱形ベースＡの前方開放部ＢにカバーＣを有頭ネジＤにより着脱自在に取り付けるようにし、かつカバーＣには通称だるま形の孔Ｅを穿設すると共に、ベースＡには雌ネジ部Ｆを形成し、もって雌ネジ部Ｆに有頭ネジＤを途中までねじ込んだ状態のもとに、カバーＣをその孔Ｅにおける大径部にネジＤの頭部が挿通するようにベースＡの開放部Ｂに当接した後、ネジＤが孔Ｅにおける小径部に対応するようにスライドし、その後ネジＤを締め付けて固定するようにした型式がある。
【０００３】
【発明が解決しようとする課題】
上記従来装置によれば、カバーＣを取り付けた後において、だるま形の孔Ｅの大径部からベースＡの内部が見えるばかりでなく、外部から異物，塵埃，害虫等の侵入を来し易い欠点があるほか、ネジＤの頭部がカバーＣの表部に突出するから、重ね合わせに不便で、かつ体裁も悪いという欠点があり、その他外形寸法の表示に際して、ネジＤの頭部を含めた大型寸法に表示しなければならない等の不利がある。
【０００４】
ベースＡの内部が見えないようする方策として、図７に鎖線で示すように、孔Ｅの大径部に対応するベースＡの一部に板状の目隠しＧを設けることが考えられるが、このような目隠しＧをベースＡと一体的にプラスチック成形により設ける場合は成形用金型が著しく複雑となり、また別体に設ける場合には構造が複雑かつ組み立てが煩雑となる欠点がある。
【０００５】
そこで本発明の目的は、ネジを緩めた状態のもとにカバーの取り外しが可能な型式の機器筐体におけるカバー取付装置において、簡単な構成のもとに、カバーの表部にネジが突出しない構造で、かつ異物，塵埃，害虫等が侵入し難い構造のカバー取付装置を提供することにある。
【０００６】
【課題を解決するための手段】
本発明は、上記目的を達成するため、ベース（１）の開放部（２）にカバー（３）を有頭ネジ（５）の締め付けにより着脱自在に取り付けるようにするほか、ネジ（５）を適度に緩めた状態のもとにカバー（３）を取り外すことができるようにした型式の機器筐体において、ベース（１）の開放部（２）よりも内方に設けられた雌ネジ部（４）と、カバー（３）の前記雌ネジ部（４）に対応する位置にカバー主体部の外面から略垂直に陥没した状態で設けられた座面部（６）とを有し、前記座面部（６）は、ネジ（５）の頭部に対接する受面（６ｂ）と、カバー主体部の外面から該受面（６ｂ）の周囲まで略垂直に延びる側壁と、該受面（６ｂ）の略中央からカバー装着方向に延び、ネジ（５）の軸径よりも少し大きい幅を持つ切欠（６ａ）とを備えており、さらに、前記切欠（６ａ）に連続して座面部（６）の前記側壁に形成され、ネジ（５）の頭部付近を側方から通過させることができる開通部（７）を有し、カバー装着時に、ネジ（５）の頭部の側方の一部が前記受面（６ｂ）から食み出して前記開通部（７）に入り込むことにより、該開通部（７）を塞ぐようになっていることを特徴とするものである。このような構成により、ネジの頭部はカバー表部に突出することなく、かつ、ネジの頭部付近を座面部側方の開通部に通過させつつカバーをスライドして着脱させることができ、だるま形の大型孔を穿設する必要性がない。
【０００７】
尚、開通部の少なくとも一部が、カバー主体部の内面に形成された凹部によって構成されてもよい。
【０００８】
【発明の実施の形態】
以下、本発明装置を図面に示す実施形態について詳細に説明する。
【０００９】
適用対象としての機器筐体としては、例えば図１および図２のように、前方全面が開放された箱形のベース１における解放部２に板状のカバー３を着脱自在に取り付けるようにするほか、ベース１内には取り付け用の雌ネジ部４をボス４ａに対する雌ネジ４ｂの埋設により設けると共に、これに対してカバー３には前記雌ネジ部４に対応する位置に、有頭ネジ５の頭部に対接する座面部６を設けて、ベース１の開放部２にカバー３を冠せかけた状態のもとにネジ５により締め付け固定する型式を採択する。
【００１０】
上記型式の機器筐体に対する本発明の特殊構成としては、例えば図１ないし図３のように、雌ネジ部４を、開放部２よりも底部寄りの内方位置に設けると共に、カバー３には、ネジ５の頭部に対接する受面６ｂと、受面６ｂの周囲からカバー主体部の外面まで略垂直に延びる側壁と、受面６ｂの略中央から側壁までカバー着脱方向に延び、ネジ５の軸径よりも少し大きい幅を持つ切欠６ａとを備えた座面部６を、カバー主体部から陥没した状態で設けると共に、座面部６の一側方（図面において下方）には、ネジ５の頭部付近を通過させることができる開通部７を形成する。図１および図２からよく分かるように、カバー装着時にネジ５の頭部の側方の一部が受面６ｂから食み出して開通部７に入り込むことによってネジ５の頭部が開通部７を塞ぐように構成されているため、カバー装着時に、筐体内部をほぼ完全に遮蔽することができる。
【００１１】
上記構成のもとに、図４のようにベース１における雌ネジ部４にネジ５を途中までねじ込んだまま、カバー３を開通部７付近の側部がネジ５の頭部に対応する状態のもとにベース１の開放部２に当接した後、座面部６がネジ５の頭部に対応するようにスライドして装着し、その後ネジ５を締め付けて固定するようにする。なおカバー３の取り外しに際しては、ネジ５を適度に緩めた後に、カバー３を前記装着の場合とは反対方向にスライドさせればよい。
【００１２】
前記座面部６の深さについては、カバー３の板厚と、ネジ５の頭部の高さと、ネジ５の締め代とを加えた寸法に選定することが重要であるが、図５のようにカバー３における開通部７に隣接した裏面に凹部８を設けることにより、座面部６の深さを浅く形成することができる。
【００１３】
なお、Ｕ字状の座面部６については、ネジ５に対するドライバの操作に支障とならない範囲において、Ｕ字の高さを低く選定することが望ましく、これによりベース１内外の連通間隙を最小限に制限することができる。また、座面部６について、これをＵ字状に限ることなく種々の形状に形成してもよい。
【００１４】
【発明の効果】
以上説明したように、本発明によれば、ネジ５の頭部が対接する座面部６をカバー主体部の外面から略垂直方向に陥没状態で設けると共に、座面部６の側方にネジ５の頭部を側方へ通過させることができる開通部７を設けたから、これにより著しく簡単な構成のもとに、カバー３の表部にネジ５の頭部を突出させることなく、しかも従来構造のだるま形孔のような大径孔を穿設する必要がない関係上、内部を体裁よく遮蔽するほか、異物，塵埃，害虫等の侵入を顧慮しないで済む利点がある。
【図面の簡単な説明】
【図１】本発明の装置を示す部分的縦断側面図である。
【図２】図１の装置の正面図である。
【図３】図１の装置におけるカバーの斜面図である。
【図４】図１の装置におけるカバーを装着する過程を示す部分的縦断側面図である。
【図５】本発明の他の実施形態を示す部分的縦断側面図である。
【図６】従来の装置を示す正面図である。
【図７】図５の装置の部分的縦断側面図である。
【符号の説明】
１  ベース
２  開放部
３  カバー
４  雌ネジ部
５  ネジ
６  座面部
６ａ  切欠
６ｂ  受面
７  開通部
【図１】
0004237841.tif 000002
【図２】
0004237841.tif 000003
【図３】
0004237841.tif 000004
【図４】
0004237841.tif 000005
【図５】
0004237841.tif 000006
【図６】
0004237841.tif 000007
【図７】
0004237841.tif 000008